(57)【特許請求の範囲】
【請求項１】
コイン投入口と、
前記コイン投入口から投入されたコインを収納するコイン収納部と、
前記コイン収納部に収納されたコインが前記コイン収納部から外へ出ないように前記コイン投入口を塞ぐ蓋と、
前記コイン収納部をコインが投入される上部空間であるコイン投入部と投入されたコインのうち分別されたコインが収納される下部空間である分別収納部に分けるように前記コイン収納部に設けられた仕切り板と、
複数種あるコイン種のうち所定種のコインの直径よりも大きく、前記所定種のコインの直径より大きい直径を有するコイン種のうち最小の直径を有するコイン種のコインの直径よりも小さい間隔で互いに略平行に配され、前記仕切り板の周縁部に前記コイン投入部側に突出するように設けられた一対の柱対を有し、前記コイン投入部に投入され、前記仕切り板のコイン載置面に略平行にスライドする前記所定種のコインを通過させるコインスライド通過口と、
前記コインスライド通過口を通過したコインを前記下部空間である分別収納部へ導く連通部と、
前記分別収納部にあるコインを前記分別収納部から取り出す取り出し口と
を有することを特徴とする分別コインケース。
【請求項２】
前記所定種のコインよりも大きい直径を有するコインが前記連通部に入らないようにするカバーを前記連通部の前記コイン投入口側に設ける
ことを特徴とする請求項１に記載の分別コインケース。
【請求項３】
前記コインスライド通過口に形成され、前記連通部の一部を構成する切り欠きを有する
ことを特徴とする請求項２に記載の分別コインケース。
【請求項４】
コイン投入口と、
前記コイン投入口から投入されたコインを収納するコイン収納部と、
前記コイン収納部に収納されたコインが前記コイン収納部から外へ出ないように前記コイン投入口を塞ぐ蓋と、
前記コイン収納部をコインが投入される上部空間であるコイン投入部と投入されたコインのうち分別されたコインが収納される下部空間である分別収納部に分けるように前記コイン収納部に設けられた仕切り板と、
複数種あるコイン種のうち所定種のコインの直径よりも大きく、前記所定種のコインの直径より大きい直径を有するコイン種のうち最小の直径を有するコイン種のコインの直径よりも小さい間隔で互いに略平行に配され、前記仕切り板の周縁部に前記コイン投入部側に突出するように設けられた一対の柱対を有し、前記コイン投入部に投入され、前記仕切り板のコイン載置面に略平行にスライドする前記所定種のコインを通過させるコインスライド通過口と、
前記コインスライド通過口を通過したコインを前記下部空間である分別収納部へ導く連通部と、
前記コインスライド通過口に形成され、前記連通部の一部を構成する切り欠きと、
前記分別収納部にあるコインを前記分別収納部から取り出す取り出し口と
を有することを特徴とする分別コインケース。
【請求項５】
コイン投入口と、
前記コイン投入口から投入されたコインを収納するコイン収納部と、
前記コイン収納部に収納されたコインが前記コイン収納部から外へ出ないように前記コイン投入口を塞ぐ蓋と、
前記コイン収納部をコインが投入される上部空間であるコイン投入部と投入されたコインのうち分別されたコインが収納される下部空間である分別収納部に分けるように前記コイン収納部に設けられた仕切り板と、
前記仕切り板に設けられ、複数種あるコイン種のうち所定種のコインの直径よりも大きく、前記所定種のコインの直径より大きい直径を有するコイン種のうち最小の直径を有するコイン種のコインの直径よりも小さい直径を有する略円形状の穴であり、前記コイン投入部に投入された前記所定種のコインを前記分別収納部へ落下させるコイン落下通過口と、
複数種あるコイン種のうち所定種のコインの直径よりも大きく、前記所定種のコインの直径より大きい直径を有するコイン種のうち最小の直径を有するコイン種のコインの直径よりも小さい間隔で互いに略平行に配され、前記仕切り板の周縁部に前記コイン投入部側に突出するように設けられた一対の柱対を有し、前記コイン投入部に投入され、前記仕切り板のコイン載置面に略平行にスライドする前記所定種のコインを通過させるコインスライド通過口と、
前記コインスライド通過口を通過したコインを前記下部空間である分別収納部へ導く連通部と、
前記分別収納部にあるコインを前記分別収納部から取り出す取り出し口と
を有することを特徴とする分別コインケース。
【発明の詳細な説明】
【技術分野】
【０００１】
本発明は、硬貨、コイン等を収納し、所定種の硬貨、コイン等を分別して取り出すことができる小銭入れ、コインケースに関するものである。
【背景技術】
【０００２】
中にふり分け板を設けた小銭入れ財布が特許文献１に記載されている。ふり分け板には複数の長方形状のスリットが設けられており、５円、１円だけを、または１０円、５円、１円だけを通過させることができると記載されている。５円、１円等の硬貨はその径方向の動きにより、ふり分け板に略垂直にスリットを通過するものである。
【０００３】
また、中に穴あき中仕切を設けた硬貨入れが特許文献２に記載されている。穴あき中仕切には例えば１円硬貨だけが通過できる大きさの直径の円状の穴が設けられており、１円硬貨は穴あき中仕切に略垂直な方向に円状の穴を通過するものである。
【先行技術文献】
【特許文献】
【０００４】
【特許文献１】特開平８−２４２９２２
【０００５】
【特許文献２】特開平１１−３０９００８
【発明の概要】
【発明が解決しようとする課題】
【０００６】
特許文献１や特許文献２に記載されている小銭入れ財布や硬貨入れは、コインが投入される投入空間と投入されたコインが分別されて収納される分別収納空間を分ける仕切り板にスリットや円状の穴を設けて、コインが仕切り板自体を通過するようにしたものである。投入空間に積載されているコインのうち、仕切り板に接触していないコインは分別されなかった。
本発明は、この課題を解決するためになされたものである。
【課題を解決するための手段】
【０００７】
この課題を解決するための請求項１に記載の本発明は、コイン投入口と、前記コイン投入口から投入されたコインを収納するコイン収納部と、前記コイン収納部に収納されたコインが前記コイン収納部から外へ出ないように前記コイン投入口を塞ぐ蓋と、前記コイン収納部をコインが投入される上部空間であるコイン投入部と投入されたコインのうち分別されたコインが収納される下部空間である分別収納部に分けるように前記コイン収納部に設けられた仕切り板と、前記仕切り板に設けられ、複数種あるコイン種のうち所定種のコインの直径よりも大きく、前記所定種のコインの直径より大きい直径を有するコイン種のうち最小の直径を有するコイン種のコインの直径よりも小さい直径を有する略円形状の穴であり、前記コイン投入部に投入された前記所定種のコインを前記分別収納部へ落下させるコイン落下通過口と、複数種あるコイン種のうち所定種のコインの直径よりも大きく、前記所定種のコインの直径より大きい直径を有するコイン種のうち最小の直径を有するコイン種のコインの直径よりも小さい間隔で互いに略平行に配され、前記仕切り板の周縁部に前記コイン投入部側に突出するように設けられた一対の柱対を有し、前記コイン投入部に投入された前記所定種のコインを通過させるコインスライド通過口と、前記コインスライド通過口を通過したコインを前記下部空間である分別収納部へ導く連通部と、前記分別収納部にあるコインを外へ取り出す取り出し口とを有することを特徴とする分別コインケースである。
【０００８】
また、この課題を解決するための請求項２に記載の本発明は、前記仕切り板には、前記コインスライド通過口を通過した前記所定種のコインを前記分別収納部へ導く切り欠きがあることを特徴とする請求項１に記載の分別コインケースである。
【０００９】
また、この課題を解決するための請求項３に記載の本発明は、前記蓋を閉じることにより前記コインスライド通過口に前記柱対と前記蓋と前記仕切り板により囲まれた略四辺形状のスリットを形成し、かつその対角線を前記所定種のコインの直径よりも大きい直径を有するコイン種のコインが通過できない長さとすることを特徴とする請求項１に記載の分別コインケースである。
【００１０】
また、この課題を解決するための請求項４に記載の本発明は、前記所定種のコインよりも大きい直径を有するコインが前記連通部に入らないように、薄板状のカバーを前記連通部の前記コイン投入口側に設けることを特徴とする請求項１に記載の分別コインケースである。
【００１１】
また、この課題を解決するための請求項５に記載の本発明は、前記所定種のコインよりも大きい直径を有するコインが前記連通部に入らないように、薄板状のカバーを前記連通部の前記コイン投入口側に設けることを特徴とする請求項２に記載の分別コインケースである。
【発明の効果】
【００１２】
コインケースのコイン投入部に積載されているコインのうち、仕切り板に接触していないコインも分別可能となる。
【図面の簡単な説明】
【００１３】
【図１】本発明の分別コインケースの第一の実施の形態の外観を示す斜視図である。
【図２】第一の実施の形態を示す斜視図である。
【図３】第一の実施の形態の仕切り板１０７を取り除いた内部を示す斜視図である。
【図４】第一の実施の形態の仕切り板１０７の平面図である。
【図５】第一の実施の形態のコインの動きを示す説明図である。
【図６】第二の実施の形態の仕切り板２０７の平面図である。
【図７】第三の実施の形態を示す斜視図である。
【図８】第三の実施の形態のスリット３１９の例を示す模式図である。
【図９】第四の実施の形態を示す部分分解斜視図である。
【発明を実施するための形態】
【００１４】
以下、本発明の実施の形態について説明する。
本発明の実施の形態に示す分別コインケースは、「馬蹄型」と呼ばれるタイプのコインケースまたはそれに類似のコインケースに本発明を適用したものであるが、本発明の分別コインケースはこのタイプに限定されるものではない。
【００１５】
図１は本発明の分別コインケースの第一の実施の形態の外観を示す斜視図である。
コインケース１００は蓋１０３が閉じられた状態である。蓋１０３は側板１０１の内側に嵌合している。取っ手１０２を上方へ引っ張ると蓋１０３が連結部１０４の近傍を回転軸として回動し、蓋１０３が開く。
【００１６】
図２は本発明の分別コインケースの第一の実施の形態を示す斜視図である。
蓋１０３が開けられると、コイン収納部１２０が現れる。側板１０１と蓋１０３と連結部１０４と底板１０５と背板１０６に囲まれた空間がコイン収納部１２０であり、扁平な空間である。
【００１７】
仕切り板１０７は略平板形状で、コイン収納部１２０をコインが投入されるコイン投入部１２１と、投入されたコインのうち分別されたコインが収納される分別収納部１２２に分けるようにコイン収納部１２０に設けられる。図２では、コイン収納部１２０のうち、仕切り板１０７の上方の空間がコイン投入部１２１、仕切り板１０７の下方の空間が分別収納部１２２である。
【００１８】
仕切り板１０７には略円形のコイン落下通過口１０８と、柱状体１０９と柱状体１０９に挟まれたコインスライド通過口１１０が設けられている。
コイン落下通過口１０８は複数流通しているコイン種のうち、所定種のコインつまり分別したいコイン種のコインの直径よりも大きい直径を有する略円形の穴である。そしてまたコイン落下通過口１０８は、分別したいコイン種のコインの直径より大きい直径を有するコイン種のうち最小の直径を有するコイン種のコインの直径よりも小さい直径を有するものである。つまり、分別したいコイン種のコインの直径よりも大きい直径を有するコイン種のコインは通過させないようにするため、通過させたくないコイン種のコインの直径よりも小さな直径となるように形成されている。
【００１９】
柱状体１０９は仕切り板１０７の周縁部１１４にコイン投入部１２１側に突出するように設けられている。柱状体１０９は少なくとも一対あり、柱状体１０９と柱状体１０９は略平行に配置され、その間隔は所定種のコインつまり分別したいコイン種のコインの直径よりも大きいものである。そしてまた、分別したいコイン種のコインの直径より大きい直径を有するコイン種のうち最小の直径を有するコイン種のコインの直径よりも小さいものである。つまり柱状体１０９と柱状体１０９の間隔は、分別したいコイン種のコインの直径よりも大きい直径を有するコイン種のコインは通過させないようにするため、通過させたくないコイン種のコインの直径よりも小さいものである。一対の柱状体１０９に挟まれた部分にはコインスライド通過口１１０が形成される。
【００２０】
連通部１１１は、コイン投入部１２１からコインスライド通過口１１０を通過してきたコインを分別収納部１２２へ導く通路である。コイン投入時に連通部１１１にコインが入らないようにするため、連通部１１１の上方に図示しないカバーを設けてもよい。例えば、各柱状体１０９の上面を支持点として、板材で連通部１１１を覆う。そうすれば柱状体１０９より連結部１０４側の空間であるコイン投入部１２１にコインを投入する場合に、連通部１１１に投入してしまうことはなくなる。
【００２１】
図３は本発明の分別コインケースの第一の実施の形態の仕切り板１０７を取り除いた内部を示す斜視図である。
スペーサー１１２は底板１０５に固定されている。図２のように仕切り板１０７がスペーサー１１２の上に載せられると、仕切り板１０７と底板１０５と側板１０１と背板１０６に囲まれた空間が形成される。この空間が分別収納部１２２である。なお、仕切り板１０７はスペーサー１１２に固定してもよいし、着脱可能としてもよい。また、スペーサー１１２を底板１０５ではなく仕切り板１０７に固定して、スペーサー１１２ごと仕切り板１０７をコインケース１００と着脱可能としてもよい。
【００２２】
取り出し口１１３は分別収納部１２２に設けられる。コインケース１００の背板１０６の一部分を略長方形状に切り欠いた穴である。必ずしも略長方形状でなくてもよい。コインを外部へ取り出せる大きさ、形状であればよい。また、図示しない蓋を設けて、コインを取り出したいときにその蓋を開ける構成としてもよい。取り出し口１１３は背板１０６ではなく、側板１０１や底板１０５に設けてもよい。取り出し口１１３は連通部１１１側の側板１０１や底板１０５に設けてもよい。
底板１０５を透明部材で構成すると、分別収納部１２２に分別されているコインを外部から視認できるようになる。
【００２３】
図４は本発明の分別コインケースの第一の実施の形態の仕切り板１０７の平面図である。コイン落下通過口１０８は３つ、柱状体１０９は４つとしたものである。
コイン落下通過口１０８は日本で流通している複数種あるコイン種のうち、１円を通過させる大きさの略円形の穴である。つまり第一の実施の形態は通過させたい所定種のコインが１円である。１円玉の直径より大きい直径を有するコイン種は５円、１０円、５０円、１００円、５００円などであり、そのうち最小の直径を有するコイン種は５０円である。１円玉の直径は２０ミリメートルであり、５０円玉の直径は２１ミリメートルである。したがって、コイン落下通過口１０８の直径は２０ミリメートルより大きく、２１ミリメートルより小さいものである。
【００２４】
４つある柱状体１０９はほぼ等間隔に並べてあり、柱対としては三対ある。コインスライド通過口１１０はこれら三対の柱対に挟まれた部分であり、コインスライド通過口１１０は３つある。柱状体１０９は円柱状としたが、角柱状その他の形状のものでもよい。対を構成して、その間をある種のコインは通過し、別の種のコインは通過できないようにコインをその直径の大きさに応じて規制できるものであればよい。図示しない板状体に長方形状のスリットを設けたものを仕切り板１０７の周縁部１１４に設けても同様にコインを直径の大きさに応じて規制できる。この場合、コインの直径方向の大きさを規制しているスリットの相対する二辺が一対の柱対を構成することとなる。
【００２５】
第一の実施の形態は通過させたい所定種のコインが１円である。コインスライド通過口１１０の三対の柱対それぞれの間隔は、前述のコイン落下通過口１０８の場合と同様に２０ミリメートルより大きく、２１ミリメートルより小さいものとすればよい。出願人はこの柱対の間隔をおよそ２０．５ミリメートルとしたものを試作した。
【００２６】
次に第一の実施の形態の作用について説明する。
第一の実施の形態は「馬蹄型」のコインケースに本発明を適用したものである。図２において、「馬蹄型」のコインケースでは通常、蓋１０３を開けた状態で側板１０１の上面が形成する略平面のうち側板１０１の内側にある部分がコイン投入口１１５となる。コイン投入時には蓋１０３にもコインが載ることがあるが、蓋１０３を閉じることにより蓋１０３に載っているコインはコイン投入口１１５に流し込まれることとなる。
【００２７】
第一の実施の形態では連通部１１１があり、連通部１１１はコインを投入するところではないので、コイン投入時には連通部１１１にコインが入らないようにする。コイン投入時に分別したくないコインが連通部１１１に入ってしまうことはあり得るが、第一の実施の形態はこれを許容するものである。
【００２８】
通常、「馬蹄型」と呼ばれるコインケースでは、コインケース１００を一方の手の掌に載せ、他方の手で蓋１０３を開け、コインを投入する。第一の実施の形態では、コイン投入部１２１に投入されたコインは仕切り板１０７の上に積み重なるように載置される。ここで、蓋１０３が閉じられて形成されるコイン投入部１２１の空間は、蓋１０３と仕切り板１０７と柱状体１０９と側板１０１と連結部１０４などにより囲まれた扁平空間である。この扁平空間の厚さが１円玉の直径よりも小さければ、この扁平空間にある１円玉は仕切り板１０７の上に立ってしまうということはない。つまりこの扁平空間にある複数の１円玉のほとんどのものは仕切り板１０７の上面に略平行な状態で、仕切り板１０７の上をスライドする状態となる。
【００２９】
コインケース１００が掌に載せられているときは、蓋１０３が開いていてもコインが立った状態になることは稀であり、ほとんどのコインは寝た状態つまり各コインの径方向が仕切り板１０７の上面に略平行な状態になる。ここで、コイン投入部１２１にある複数のコインは乱雑に積み重なっているものであり、仕切り板１０７の上面に略平行ということはコインの厚み２枚分、３枚分等の傾きが生じている場合も含むものである。
蓋１０３が正しく閉じられている状態、つまりコイン投入部１２１に適量のコインが入れられ、蓋１０３が所定の位置で閉じられている状態では、前述したとおり、コインが立ってしまうことはなく、コインは寝た状態となる。
【００３０】
蓋１０３が開いているときは掌上で略水平方向にコインケース１００が振られることにより、また蓋１０３が正しく閉じられているときは携帯者のポケットの中などで振られることにより、寝た状態となっている各コインは仕切り板１０７の上をスライドしたり、他のコインの上をスライドしたりする。
【００３１】
図５は図４に示した仕切り板１０７をコインケース１００に装着し、コイン投入部１２１にコインを投入した後のコインの動きを示す説明図である。日本で流通しているコインを使用する場合である。なお、図中の波線１３９は側板１０１の内側の面の位置を示す。
【００３２】
図５において、ある１円玉１３１はコイン落下通過口１０８の上に来るとコイン落下通過口１０８を通り抜けてコイン投入部１２１から分別収納部１２２へ落下する。また、ある１円玉１３２は仕切り板１０７の上をスライドし、コインスライド通過口１１０を通り抜けて、連通部１１１を介して分別収納部１２２へ移る。また、ある１円玉１３３はコインスライド通過口１１０を通り抜けずに引っかかっている５０円玉１３４の上をスライドし、コインスライド通過口１１０を通り抜けて、連通部１１１を介して分別収納部１２２へ移る。分別収納部１２２へ移ったコインは適宜、取り出し口１１３から取り出される。
【００３３】
１円玉以外の５０円玉１３４、５円玉１３５、１０円玉１３６、１００円玉１３７、５００円玉１３８はその直径がコイン落下通過口１０８の直径よりも大きいため、コイン落下通過口１０８を通り抜けることができない。
【００３４】
５０円玉１３４など比較的直径が小さめのコインが斜めに傾いた状態でコインスライド通過口１１０を通り抜けることはあり得るが、その頻度は小さいものである。第一の実施の形態はそれを許容するものである。
また、一旦分別収納部１２２へ移った１円玉が逆流してコイン投入部１２１へ戻ることもあり得るが、第一の実施の形態はそれを許容するものである。
【００３５】
図６は本発明の分別コインケースの第二の実施の形態の仕切り板を示す平面図である。第二の実施の形態は第一の実施の形態のコインケース１００に図６の仕切り板２０７を装着したものである。なお、図中の波線１３９は側板１０１の内側の面の位置を示す。
図６の仕切り板２０７は３個の柱状体２０９が二対の柱対を構成し、コインスライド通過口２１０を形成する。柱対の間隔とコイン落下通過口２０８の直径は第一の実施の形態の仕切り板１０７の場合と同等としている。
【００３６】
ガイド柱２１６は略円柱状のピンである。ガイド柱２１６の配置は、ガイド柱２１６の側面に接触したコインが転がるようにしてコインスライド通過口２１０に導かれ易くするために傾斜を持たせている。
【００３７】
また、片側にそれぞれ２個あるガイド柱２１６はそれらの側面が１個のコイン落下通過口２０８の円と接するように配置されている。このように配置することで、２個のガイド柱２１６の両方に接触する位置に１円玉２３１が来ると、１円玉２３１が２個のガイド柱２１６に支持されて、１円玉２３１の径方向へスライドする動きが弱くなる。つまり、その位置に静止し易くなる。静止したり、速さが小さくなった場合、１円玉２３１はその下にあるコイン落下通過口２０８を通り抜け易くなる。
【００３８】
コインスライド通過口２１０には略円弧状の切り欠き２１７があり、コインスライド通過口２１０を通過した１円玉２３２は切り欠き２１７を通過した段階で、分別収納部１２２へと導かれる状態となる。つまり切り欠き２１７により仕切り板２０７が切り欠かれた部分は連通部２１１になる。このようにすることで連通部２１１の全体を小さくすることができる。
【００３９】
連通部２１１が安定に機能するためには、図６において１円玉２３２の円よりも大きい円を有する円柱状の空間（通路）が連通部２１１に必要である。図６において切り欠き２１７がなければこの空間は確保されない。切り欠き２１７を設けずにこの空間を確保するためには側板１０１（図２）の内側の面１３９を図の下方へ拡げるなどして連通部２１１を大きくしなければならない。切り欠き２１７を設ければ連通部２１１の拡大幅は切り欠き２１７の分だけで済み、結果的に連通部２１１の全体を小さなものとできる。言い換えれば、コイン投入部１２１を、より連通部２１１側へ拡げることができ、コイン収納部１２０におけるコイン投入部１２１の割合を大きくすることができる。コイン投入部１２１が大きいほど、コインケース１００の実質的なコイン収納容量が大きくなる。
【００４０】
図７は本発明の分別コインケースの第三の実施の形態を示す斜視図である。
コインケース３００に仕切り板３０７が装着されている。仕切り板３０７の周縁部３１４には略直線状に配置された４つの柱状体３０９があり、３つのコイン落下通過口３０８がある。４つの柱状体３０９は三対の柱対を構成する。柱対に挟まれた部分にコインスライド通過口３１０が形成される。つまりコインスライド通過口３１０は３つある。コイン落下通過口３０８の直径と各柱状体３０９の間隔は第一の実施の形態の場合と同等としている。
【００４１】
蓋３０３には棒状の突起物３１８がある。突起物３１８は蓋３０３の内側にあり、蓋３０３が閉じられると各柱状体３０９の上面に接するよう蓋３０３に設けられる。つまり蓋３０３が閉じられると、仕切り板３０７、柱状体３０９、突起物３１８に囲まれたスリット３１９（図８）が３つ形成される。蓋３０３が閉じられているときは、これらのスリットがコインスライド通過口３１０となる。
【００４２】
図８は図７における仕切り板３０７、柱状体３０９、突起物３１８により形成されるスリット３１９の例を示す模式図である。
日本で流通するコインのうち、１円玉の次に直径が小さい５０円玉がぎりぎりで通過できない大きさに形成したスリットを示している。仕切り板３０７と一対の柱状体３０９と突起物３１８に囲まれた略四辺形のスリット３１９の対角線の長さを、５０円玉３３１がスリット３１９を通過できない長さにしたものである。図８に示すスリット３１９は、１円だけを通過させ、５０円、５円など他の種のコインは通過させないことを想定したものである。
【００４３】
柱状体３０９を長くしてスリット３１９を大きくするほど１円玉が通過し易くなり分別の効率が上がるが、大きくし過ぎると分別したくない種のコインもスリット３１９を通過して分別されてしまうことになる。図８のスリット３１９は分別したい所定種のコインが、日本で流通するコインのうちもっとも直径が小さい１円の場合である。所定種のコインが１円の次に直径が小さい５０円とする場合、スリット３１９の対角線が５０円玉の次に直径が小さい、直径が２２ミリメートルの５円玉が通過できない長さになるようにスリット３１９が形成される。
【００４４】
なお、スリット３１９を形成するために突起物３１８を設けたが、蓋３０３自体と仕切り板３０７と柱状体３０９で形成してもよい。また、第三の実施の形態は蓋３０３を閉じたときに突起物３１８が柱状体３０９の上面と接するように構成しているが、蓋３０３を閉じたときに突起物３１８と柱状体３０９の間に隙間があるように構成してもよい。隙間があっても実質的に略四辺形のスリットが形成され、そのスリットの対角線の長さが所定種のコインよりも大きい直径を有するコイン種のコインが通過できないものであればよい。
【００４５】
図９は本発明の分別コインケースの第四の実施の形態を示す部分分解斜視図である。
柱状体４０９を三角形の各頂点の位置に配置し、底板４０５に固定したもので、柱状体４０９は３個ある。つまり、コインスライド通過口４１０は２つある。柱対の間隔と仕切り板４０７にあるコイン落下通過口４０８の直径は第一の実施の形態の仕切り板１０７の場合と同等としている。
【００４６】
柱状体４０９は底板４０５の、仕切り板４０７の周縁部４１４に取り付けている。柱状体４０９の取り付け位置、すなわちコインスライド通過口４１０が形成される位置は、所定種のコインが仕切り板４０７の上面をスライドしてコインスライド通過口４１０を通過すると仕切り板４０７の上面から離れるというコインの動作が可能な位置であればよい。つまり、コインケース４００の、仕切り板４０７の周縁部４１４であればよい。
【００４７】
カバー４４１は連通部４１１に所定種のコインよりも大きい直径を有するコイン種のコインが上方から入らないようにするためのものである。薄板状であり、柱状体４０９の上面に取り付ける。カバー４４１にはコイン落下通過口４０８と同等のコイン落下通過口４４２があり、コイン投入時などにその上に載った所定種のコインが連通部４１１に導かれるようにしている。カバー４４１は柱状体４０９の上面に取り付けているが、コインケース４００の他の部分に取り付けてもよいし、柱状体４０９と着脱可能としてもよい。
【符号の説明】
【００４８】
１００，３００，４００  コインケース
１０１  側板
１０２  取っ手
１０３，３０３  蓋
１０４  連結部
１０５，４０５  底板
１０６  背板
１０７，２０７，３０７，４０７  仕切り板
１０８，２０８，３０８，４０８，４４２  コイン落下通過口
１０９，２０９，３０９，４０９  柱状体
１１０，２１０，３１０，４１０  コインスライド通過口
１１１，２１１，３１１，４１１  連通部
１１２  スペーサー
１１３  取り出し口
１１４，２１４，３１４，４１４  仕切り板周縁部
１１５  コイン投入口
１２０  コイン収納部
１２１  コイン投入部
１２２  分別収納部
１３１，１３２，１３３，２３１，２３２  １円玉
１３４  ５０円玉
１３５  ５円玉
１３６  １０円玉
１３７  １００円玉
１３８  ５００円玉
２１６  ガイド柱
２１７  切り欠き
３１８  突起物
３１９  スリット
４４１  カバー
【図１】
0005291169.tif 000002
【図２】
0005291169.tif 000003
【図３】
0005291169.tif 000004
【図４】
0005291169.tif 000005
【図５】
0005291169.tif 000006
【図６】
0005291169.tif 000007
【図７】
0005291169.tif 000008
【図８】
0005291169.tif 000009
【図９】
0005291169.tif 000010